(57)【要約】      （修正有）【課題】易破断性を妨げてしまうことがなく、印刷を行うことのできる易破断シートの上に貼付されるシール及び易破断シートを用いた液体容器を提供する。【解決手段】３ｍｍ以上の幅の帯状の易破断部２を有し、易破断部が帯の長手方向に平行な直線（破断線）において破断されることによってシールが二分されることを特徴とする。また、易破断シートを用いた液体用容器３であって、易破断シール１を易破断シートの直線状の易破断部に破断線が重なるように貼付したものである。【選択図】図３
0003183781.tif 000002
【実用新案登録請求の範囲】
【請求項１】
３ｍｍ以上の幅の帯状の易破断部を有し、
前記易破断部が帯の長手方向に平行な直線（破断線）において破断されることを特徴とする、易破断シール。
【請求項２】
前記易破断部が、帯の両側からの３ニュートン以下の引張力によって破断されるものであることを特徴とする、請求項１に記載の易破断シール。
【請求項３】
前記易破断部が、ミシン目状の脆弱部を有するものであることを特徴とする、請求項１又は２に記載の易破断シール。
【請求項４】
紙製であることを特徴とする、請求項１〜３のいずれか１項に記載の易破断シール。
【請求項５】
折り曲げにより容易に破断する易破断シートを用いた液体用容器であって、
請求項１〜３のいずれか１項に記載の易破断シールを、前記易破断シートの直線状の易破断部に前記破断線が重なるように貼付したものであることを特徴とする、液体用容器。
【請求項６】
前記易破断シールの帯状の易破断部が前記易破断シートの直線状の易破断部全体を被覆するように前記易破断シールを貼付したものであることを特徴とする、請求項５に記載の液体用容器。
【請求項７】
前記易破断シールは破断線において破断されることによってシールが二分されるものであることを特徴とする、請求項５に記載の液体用容器。
【考案の詳細な説明】
【技術分野】
【０００１】
本考案は、折り曲げにより容易に破断する易破断シートを用いた液体用容器に貼付して使用する易破断シール及びその易破断シールを貼付した液体用容器に関するものである。
【背景技術】
【０００２】
小量の液体を小型の容器に封入し、その容器を折り曲げることで、容器の一部が破断して液体を流出させる液体用容器が知られている。例えば、特許文献１に開示されたものである。かかる液体用容器においては、容器の一部を破断させるために、破断させる箇所に切り込みを入れた易破断シートを用いる。
【０００３】
易破断シートの材質としてポリスチレンが用いられることが多く、容器の装飾のため又は内容液体の説明のための印刷を易破断シートに行うことは困難である。
【０００４】
易破断シートの上に所望の印刷がされたシールを貼付することはできる。しかし、シールの貼付は易破断性を妨げてしまい、液体用容器の本来の目的が達成できなくなってしまう。
【０００５】
特許文献２に開示されたシールは、ミシン目において破断するものであるが、易破断シートの上に貼付することには適さない。シール自体の強度を必要とするため、易破断シートを破断するだけの力ではシールが破断しないからである。
【先行技術文献】
【特許文献】
【０００６】
【特許文献１】国際公開ＷＯ２００８−０３８０７４号公報
【特許文献２】特開２００６−０７１８５７号公報
【考案の概要】
【考案が解決しようとする課題】
【０００７】
解決しようとする課題は、易破断シートの上に貼付されるシールであって、易破断性を妨げてしまうことがなく、印刷を行うことのできるものを提供することである。
【課題を解決するための手段】
【０００８】
本考案の易破断シールは、
３ｍｍ以上の幅の帯状の易破断部を有し、
前記易破断部が帯の長手方向に平行な直線（破断線）において破断されることを特徴とする。
【０００９】
破断線が易破断シートの直線状の易破断部に重なるようにしてシールを貼付することで、液体用容器の易破断性を妨げないようにするものである。
シールを正確な位置に貼付することは必ずしも容易ではない。貼付位置のずれを許容するため、帯状の易破断部に３ｍｍ以上の幅を設ける。
【００１０】
本考案の易破断シールは、
前記易破断部が、帯の両側からの３ニュートン以下の引張力によって破断されるものであることを特徴とする。
【００１１】
易破断シートが破断する際には、易破断シールも破断されることが必要である。また、本考案のシールの特徴として、貼付後の引張力に対する耐性が不要である（破断しても問題がない）ことがある。
そこで、３ニュートン（およそ３００グラム重）以下の引張力で破断させる。
【００１２】
本考案の易破断シールは、
前記易破断部が、ミシン目状の脆弱部を有するものであることを特徴とする。
【００１３】
易破断部の構成として、ミシン目状の脆弱部を設けることは、生産が容易なものである。
【００１４】
本考案の易破断シールは、
紙製であることを特徴とする。
【００１５】
紙製であれば、印刷が容易である。
【００１６】
本考案の液体用容器は、
折り曲げにより容易に破断する易破断シートを用いた液体用容器であって、
易破断シールを、前記易破断シートの直線状の易破断部に前記破断線が重なるように貼付したものであることを特徴とする。
【００１７】
上記の易破断シールを活用した液体用容器である。
【００１８】
本考案の液体用容器は、
前記易破断シールの帯状の易破断部が前記易破断シートの直線状の易破断部全体を被覆するように前記易破断シールを貼付したものであることを特徴とする。
【００１９】
易破断性を妨げないため、易破断シートの易破断部にはシールの易破断部以外の部分（破断しない部分）が重ならないようにしたものである。
【００２０】
本考案の液体用容器は、
前記易破断シールは破断線において破断されることによってシールが二分されるものであることを特徴とする。
【００２１】
易破断シートの易破断部は、易破断シールの幅よりも大きい場合もある。この場合に、シールが二分されるものであれば、易破断シートの易破断部にはシールの易破断部以外の部分（破断しない部分）が重ならないようにすることができる。
【考案の効果】
【００２２】
印刷を施して易破断シートの上に貼付されるシールであって易破断性を妨げてしまうことがないもの、及びそのシールを活用した液体用容器が提供される。
【図面の簡単な説明】
【００２３】
【図１】図１は、易破断シールを示す図である。（実施例１）
【図２】図２は、液体用容器を示す図である。（実施例１）
【図３】図３は、易破断シールを貼付した液体用容器を示す図である。（実施例１）
【図４】図４は、易破断シールを示す図である。（実施例２）
【図５】図５は、易破断シールを貼付した液体用容器を示す図である。（実施例２）
【考案を実施するための形態】
【００２４】
以下、本考案の２つの実施例を示す。
【実施例１】
【００２５】
図１は、易破断シールを示す図である。易破断シール１は紙製であり、表面には図において漫画的に示した印刷がなされ、裏面には粘着材が塗布されている。なお、印刷内容は、漫画的に示した印刷に限定されるものではなく、商品の説明等の任意のものを用いることができる。
易破断シール１には、帯状の易破断部２が設けられている。易破断部２は、直線状のミシン目状脆弱部を複数設けたものであり、ミシン目状脆弱部を破断線として破断する。
ミシン目状脆弱部において、ミシン目は高密度に設けられており、易破断部は帯の両側からの２ニュートンの引張力によって破断される。
帯状の易破断部２の幅（図においてｗで示す）は４ｍｍであり、シール貼付位置のずれを許容する。
【００２６】
図２は、液体用容器を示す図である。液体用容器本体３に、易破断シート４が張られており、液体用容器本体３を変形させて易破断シート４を破断させることにより内部の液体を放出するものである。
易破断シート４には、直線状の易破断部５（切り込み）があり、易破断部５において破断する。
【００２７】
図３は、易破断シールを貼付した液体用容器を示す図である。易破断シール１を、易破断部２が易破断シートの易破断部５全体を被覆するように貼付したものである。
液体用容器本体３を変形させて易破断シート４を破断させると、易破断シール１も易破断部２において破断し、内部の液体が放出される。図では見えない易破断部５は全て易破断部２の下にあり、シールによってその破断を妨げられることがない。
【００２８】
この液体用容器は、例えば化粧品の試供品提供に用いることができる。
なお、液体用容器の形状は図に示したものに限定されない。各種の形状を設計することができる。
【実施例２】
【００２９】
本実施例は、易破断シールが二分されるように帯状の易破断部を設けたものである。他の点は実施例１と同様であり、詳細な説明を省略する。
【００３０】
図４は、易破断シールを示す図である。易破断シール１の帯状の易破断部２は易破断シール１の両端に達しており、破断によって易破断シール１は二分される。
【００３１】
図５は、易破断シールを貼付した液体用容器を示す図である。易破断シール１を、易破断部２が易破断シート４の易破断部５の一部に重なるように貼付したものである。
液体用容器本体３を変形させて易破断シート４を破断させると、易破断シール１も易破断部２において破断し、内部の液体が放出される。易破断シール１が二分される（易破断部５に重なる部分にシールの破断しない端部はない）ので、シールによって易破断部５の破断を妨げられることがない。易破断部５よりも狭い幅のシールを用いることができる。
【産業上の利用可能性】
【００３２】
印刷を施して易破断シートの上に貼付されるシールであって易破断性を妨げてしまうことがないもの、及びそのシールを活用した液体用容器であり、化粧品生産者、その他多くの液体商品製造販売業者による利用が考えられる。
【符号の説明】
【００３３】
１    易破断シール
２    シールの易破断部
３    液体用容器本体
４    易破断シート
５    シートの易破断部
【図１】
0003183781.tif 000003
【図２】
0003183781.tif 000004
【図３】
0003183781.tif 000005
【図４】
0003183781.tif 000006
【図５】
0003183781.tif 000007